(57)【要約】【課題】ユニットを出し入れする際に転倒防止のための特別な作業を必要とせず、作業性及び安全性が優れた引き出し付き収納庫及びその転倒防止装置を提供することを目的とする。【解決手段】前面に開口を有する直方体形状の筐体１５と、前面側に引き出し可能にされ筐体１５の上下方向に複数個装着されているユニット３からなる引き出し付き収納庫１において、ユニット３の一方の側面に平歯車２を形成し、一方の側面に平歯車５が形成された転倒防止部材４を底面に配置し、平歯車２に噛合する小径歯車９と平歯車５に噛合する大径歯車６とこれらを連結する回転軸１０とからなる回転部材１３を、小径歯車９が筐体１５の内部におけるユニット３の平歯車２側に位置し、大径歯車６が転倒防止部材４に噛合するように配置する。【選択図】    図１
2004273729.tif 000002
【特許請求の範囲】
【請求項１】
前面に開口を有する筐体と、前記筐体の内部に格納され前記筐体の開口を介して引き出すことができると共に、側面に引き出し方向に延びる第１の平歯車を有する複数個の引き出しと、前記引き出しの第１の平歯車と噛合する歯車が形成された回転部材と、前記筐体の下方に設置され前記回転部材の前記歯車に噛合する第２の平歯車が形成された転倒防止部材と、を有し、前記引き出しを引き出すと前記転倒防止部材も前記回転部材を介して連動して前方に進出し前記筐体の転倒を防止することを特徴とする引き出し付き収納庫。
【請求項２】
前記引き出しと前記回転部材とは間隔をあけて配置されており、前記引き出しを引き出す前に、前記引き出しを前記回転部材の方向に移動させて、前記引き出しの第１の歯車と前記回転部材の歯車とを噛合させることを特徴とする請求項１に記載の引き出し付き収納庫。
【請求項３】
前記回転部材が、前記引き出しの第１の平歯車と噛合する第１の歯車と、前記転倒防止部材の第２の平歯車と噛合する第２の歯車と、前記第１の歯車と前記第２の歯車とを連結する回転軸と、を有することを特徴とする請求項１又は２に記載の引き出し付き収納庫。
【請求項４】
前記第１の歯車が前記筐体における前記引き出しの格納部分の高さに相当する高さを有する円柱形状であり、前記第２の歯車が前記転倒防止部材の厚さに相当する厚さを有する円盤形状であることを特徴とする請求項３に記載の引き出し付き収納庫。
【請求項５】
前記筐体の下方には、前記転倒防止部材が前後方向に移動可能に格納される収納枠が設けられていることを特徴とする請求項１乃至４のいずれか１項に記載の引き出し付き収納庫。
【請求項６】
前面に引き出すことが可能な複数個の引き出しを有する引き出し付き収納庫の転倒防止装置において、前記複数個の引き出しの一方の側面に形成された第１の平歯車と、前記引き出しの第１の平歯車に噛合する歯車が形成された回転部材と、この回転部材の前記歯車に噛合する第２の平歯車が形成され、前記引き出しが引き出されるときに前記回転部材を介して前記引き出しと連動して前方に進出する転倒防止部材と、を有することを特徴とする引き出し付き収納庫の転倒防止装置。
【請求項７】
前記回転部材が、前記引き出しの第１の平歯車と噛合する第１の歯車と、前記転倒防止部材の第２の平歯車と噛合する第２の歯車と、前記第１の歯車と前記第２の歯車とを連結する回転軸と、を有することを特徴とする請求項６に記載の引き出し付き収納庫の転倒防止装置。
【請求項８】
前記第１の歯車が前記筐体における前記引き出しの格納部分の高さに相当する高さを有する円柱形状であり、前記第２の歯車が前記転倒防止部材の厚さに相当する厚さを有する円盤形状であることを特徴とする請求項７に記載の引き出し付き収納庫の転倒防止装置。
【発明の詳細な説明】
【０００１】
【発明の属する技術分野】
本発明は、引き出し付き収納庫及びその転倒防止装置に関し、特に、引き出しを引き出した際に筐体が転倒することを防止する引き出し付き収納庫及びその転倒防止装置に関する。
【０００２】
【従来の技術】
前面に開口を有する直方体形状の筐体と、この筐体に格納され電子機器が収納される複数個のユニット（引き出し）が設けられている引き出し付収納庫は、保守等の際に前記ユニットを筐体から引き出すと、重心が前記ユニットの引き出し方向に移動して筐体が転倒してしまう。従来、筐体の転倒を防止するため、引き出し付き収納庫には、ユニットを引き出す方向に突出した転倒防止部材が筐体の下方に設けられている。
【０００３】
しかしながら、従来の引き出し付収納庫に設けられた転倒防止部材は、常時筐体から突出した状態にあるため、操作者が前記転倒防止部材につまずく危険性があり、安全上好ましくないという欠点がある。そこで、前記転倒防止部材を取り外し可能にして、ユニットを引き出す時にだけ取り付ける転倒防止部材が提案されている（例えば、特許文献１又は２参照）。また、転倒防止部材をユニットの移動方向にスライド可能にして、ユニット引き出し時以外は前記転倒防止部材を筐体の下方に収納する転倒防止装置も提案されている（例えば、特許文献３又は４参照。）。このように、転倒防止部材が常時設置されていない場合、操作者の不注意により転倒防止部材を設置せずにユニットを引き出してしまう虞があるため、特許文献１、３及び４に記載の転倒防止装置においては、誤操作防止のため、転倒防止部材に連動して動作するストッパーを設け、転倒防止部材が所定の位置に設置されていない場合には、ユニットを引き出せないようにしている。
【０００４】
更に、筐体の扉の開閉に連動させて転倒防止部材をユニットの移動方向にスライドさせる転倒防止装置も提案されている（例えば、特許文献５参照）。特許文献５に記載の転倒防止装置は、筐体の扉を開くことにより転倒防止部材が引き出され、扉を閉じると前記転倒防止部材は筐体の下方に収納されるものである。更にまた、引き出しのロック機構として、転倒防止部材と連動して位置が変化する引き出し防止板を設けることにより、筐体の小型化を図った転倒防止装置も提案されている（例えば、特許文献６参照）。
【０００５】
【特許文献１】
特開昭５８−１１００９９号公報  （第１−３頁、第５図）
【特許文献２】
特開平１−３０２８９５公報  （第２−３頁、第１図）
【特許文献３】
特開昭５８−１６６７９６号公報  （第１−２頁、第２図）
【特許文献４】
実公平１−５９４３０号公報  （第４−５頁、第１−２図）
【特許文献５】
特開平７−３３６０５６号公報  （第３−４頁、第３図）
【特許文献６】
特開２０００−１６５０５４号公報  （第３−４頁、第１図）
【０００６】
【発明が解決しようとする課題】
しかしながら、前述の特許文献１乃至４及び特許文献６に記載の転倒防止装置においては、操作者はユニットを引き出す前に、転倒防止部材を取り付けたり又は引き出したりしなければならず、作業性に問題がある。また、これらの転倒防止装置に設けられている誤操作防止用の機構は、ユニットを引き出す際の安全性しか考慮されていないため、作業終了後に転倒防止部材を取り外したり収納したりするのを忘れる可能性がある。その場合、転倒防止部材が常時筐体から突出している引き出し付き収納庫と同様に操作者がつまずく虞があり、安全性に問題がある。
【０００７】
更に、前述の特許文献５に記載の転倒防止装置は、扉の開閉に連動して転倒防止部材が移動するものであるため、作業終了後に操作者が転倒防止部材を収納したり又は取り外したりする必要はないが、前記扉及び転倒防止部材にはそれらを連動させるための連結部材が取り付けられているため、作業可能な場所が限られてしまう。このように、従来の引き出し付き収納庫の転倒防止装置には、作業性及び安全性に問題がある。
【０００８】
本発明はかかる問題点に鑑みてなされたものであって、ユニットを出し入れする際に転倒防止のための特別な作業を必要とせず、作業性及び安全性が優れた引き出し付き収納庫及びその転倒防止装置を提供することを目的とする。
【０００９】
【課題を解決するための手段】
本願第１発明に係る引き出し付き収納庫は、前面に開口を有する筐体と、前記筐体の内部に格納され前記筐体の開口を介して引き出すことができると共に、側面に引き出し方向に延びる第１の平歯車を有する複数個の引き出しと、前記引き出しの第１の平歯車と噛合する歯車が形成された回転部材と、前記筐体の下方に設置され前記回転部材の前記歯車に噛合する第２の平歯車が形成された転倒防止部材と、を有し、前記引き出しを引き出すと前記転倒防止部材も前記回転部材を介して連動して前方に進出し前記筐体の転倒を防止することを特徴とする。
【００１０】
本発明においては、引き出しを引き出すと、この筐体の下方に設置された転倒防止部材が連動して前方に進出するので、特別な作業を行わずに筐体の転倒を防止することができる。
【００１１】
前記引き出し付き収納庫においては、前記引き出しと前記回転部材とは間隔をあけて配置されており、前記引き出しを引き出す前に、前記引き出しを前記回転部材の方向に移動させて、前記引き出しの第１の平歯車と前記回転部材の歯車とを噛合させるようにすることができる。
【００１２】
また、前記回転部材は、例えば、前記引き出しの第１の平歯車と噛合する第１の歯車と、前記転倒防止部材の第２の平歯車と噛合する第２の歯車と、前記第１の歯車と前記第２の歯車とを連結する回転軸と、を有する。
【００１３】
更に、前記第１の歯車は前記筐体における前記引き出しの格納部分の高さに相当する高さを有する円柱形状であり、前記第２の歯車は前記転倒防止部材の厚さに相当する厚さを有する円盤形状にすることができる。
【００１４】
更にまた、前記筐体の下方には、前記転倒防止部材が前後方向に移動可能に格納される収納枠が設けられていてもよい。
【００１５】
本願第２発明に係る引き出し付き収納庫の転倒防止装置は、前面に引き出すことが可能な複数個の引き出しを有する引き出し付き収納庫の転倒防止装置において、前記複数個の引き出しの一方の側面に形成された第１の平歯車と、前記引き出しの第１の平歯車に噛合する歯車が形成された回転部材と、この回転部材の前記歯車に噛合する第２の平歯車が形成され、前記引き出しが引き出されるときに前記回転部材を介して前記引き出しと連動して前方に進出する転倒防止部材と、を有することを特徴とする。
【００１６】
本発明においては、引き出しが引き出されると、それに連動して筐体の下方に設けられた転倒防止部材も引き出されるようにしたので、前記引き出しが引き出されている状態においては、前記転倒防止部材により前記筐体が転倒することを防止することができ、前記引き出しが格納されている状態においては、操作者が転倒防止部材につまずくことを防止することができる。
【００１７】
前記回転部材は、例えば、前記引き出しの第１の平歯車と噛合する第１の歯車と、前記転倒防止部材の第２の平歯車と噛合する第２の歯車と、前記第１の歯車と前記第２の歯車とを連結する回転軸と、を有する。
【００１８】
また、前記第１の歯車は前記筐体における前記引き出しの格納部分の高さに相当する高さを有する円柱形状でもよく、前記第２の歯車は前記転倒防止部材の厚さに相当する厚さを有する円盤形状でもよい。
【００１９】
【発明の実施の形態】
以下、本発明の実施形態に係る引き出し付き収納庫について添付の図面を参照して具体的に説明する。図１は本発明の実施形態に係る引き出し付き収納庫を示す斜視図である。本実施形態の引き出し付き収納庫１には、図１に示すように、前面に開口を有する直方体形状の筐体１５と、この筐体１５に格納され電子機器が収納される複数個のユニット（引き出し）３が設けられている。これらのユニット３は、筐体１５の開口を介して前面側に引き出し可能にされ、筐体１５の上下方向に装着されている。また、ユニット３の一方の側面の下方には平歯車２が形成されており、底面にはユニット３を横方向及び前後方向に案内するレール（図示せず）が設けられている。更に、ユニット３の前面には取っ手１１が設けられている。
【００２０】
本実施形態の引き出し付き収納庫１の筐体１５の前面には、扉１２が開閉可能に取り付けられている。また、筐体１５の下方には、一方の側面に平歯車５が形成された板状の転倒防止部材４が配置されている。この転倒防止部材４は、レール（図示せず）に案内されて前後方向に移動し、筐体１５の下方に設けられた収納枠１４に格納される。更に、転倒防止部材４は引き出し付き収納庫１を支えることが可能な強度を有する金属材料等で形成されており、その厚さ及び大きさ等は、引き出し付き収納庫１を支えることが可能な範囲内で適宜設定することができる。
【００２１】
本実施形態の引き出し付き収納庫１には、回転部材１３が回転軸１０を中心として回転可能に設けられている。この回転部材１３の回転軸１０には、周縁にユニット３の平歯車２と噛合する凹凸が形成され、ユニット３が装着されている部分に相当する高さを有する円柱形状の小径歯車９と、周縁に転倒防止部材４の平歯車５に噛合する凹凸が形成され、小径歯車９より直径が大きい円盤形状の大径歯車６とが設けられている。この回転部材１３は、小径歯車９が筐体１５の内部におけるユニット３の平歯車２が形成されている側に位置し、回転軸１０が筐体１５の底面に設けられた貫通孔（図示せず）に挿通され、大径歯車６が転倒防止部材４に形成された平歯車５に噛合するように収納枠１４内に配置されている。また、本実施形態の引き出し付き収納庫１においては、ユニット３と回転部材１３とは間隔をあけて配置されている。
【００２２】
次に、上述の如く構成された引き出し付き収納庫１における転倒防止装置の動作について説明する。本実施形態の引き出し付き収納庫１においては、ユニット３を引き出す場合、図１に示すように、ユニット３を回転部材１３側（スライド方向７）にスライドさせて、ユニット３の側面に形成された平歯車２と回転部材１３における小径歯車９とを噛合させる。次に、ユニット３を前方（引き出し方向８）に引き出す。ユニット３が引き出されることにより、小径歯車９が回転し、それに伴い、大径歯車６も回転する。この大径歯車６は筐体１５の下方に設けられた転倒防止部材４の平歯車５と噛合しているため、ユニット３に連動して転倒防止部材４も前方に引き出され、この転倒防止部材４により筐体１５が支えられ、転倒が防止される。その際、転倒防止部材４の平歯車５に噛合している大径歯車６の直径は、ユニット３の平歯車２に噛合している小径歯車９の直径より大きいため、転倒防止部材４はユニット３が引き出される速度より速い速度で引き出される。その結果、転倒防止部材４はユニット３より多く引き出されるので、ユニット３の進出長より、転倒防止部材４の進出長の方が長くなり、筐体１５は極めて安定し、転倒が確実に防止される。一方、ユニット３を筐体１５に格納する場合は、ユニット３を筐体１５の方向に押し込むと、小径歯車９が引き出す際とは逆に回転し、それに伴い、大径歯車６も小径歯車９と同じ方向に回転する。その結果、転倒防止部材４は収納枠１４に格納される。
【００２３】
本実施形態の引き出し付き収納庫１においては、ユニット３及び転倒防止部材４の側面に夫々平歯車２及び平歯車５を形成し、これらの平歯車と噛合する歯車を有する回転部材１３を設けることにより、転倒防止部材４をユニット３に連動して前後方向に移動させることができる。即ち、ユニット３が筐体１５に収納された状態においては、転倒防止部材４は収納枠１４内に収納されており、ユニット３が引き出された際には、転倒防止部材４も前面側に引き出される。その結果、通常は、転倒防止部材４は筐体１５の下方に設けられた収納枠１４の内部に格納されているので、操作者が転倒防止部材４につまずくことを防止できる。一方、保守等によりユニット３が引き出される場合は、ユニット３に連動して必ず転倒防止部材４が前面側に引き出され、筐体１５の下方で筐体１５を支えるため、筐体１５が転倒することを防止できる。
【００２４】
また、本実施形態の引き出し付き収納庫１においては、小径歯車９の直径と大径歯車６の直径との比を変えることにより、ユニット３が引き出される速度に対する転倒防止部材４が引き出される速度を変更することができる。例えば、ユニット３の平歯車２に噛合する歯車の直径と、転倒防止部材４の平歯車５に噛合する歯車の直径とを等しくすると、ユニット３と転倒防止部材４とは同じ速度で引き出される。この場合、ユニット３が引き出された分と同一の長さで転倒防止部材４が引き出されるため、操作者が転倒防止部材４の位置を予測しやすく、操作者の足に転倒防止部材４が当たったり、操作者が転倒防止部材４につまずいたりすることが防止される。
【００２５】
一方、ユニット３の平歯車２に噛合する歯車の直径より、転倒防止部材４の平歯車５に噛合する歯車の直径を小さくすると、ユニット３の引き出し速度より転倒防止部材４が引き出される速度が遅くなる。この場合、転倒防止部材４よりユニット３の方が多く引き出されるため、ユニット３の方が転倒防止部材４より手前に配置され、ユニット３を引き出している際に、操作者が転倒防止部材４につまずいたり、転倒防止部材４が操作者の足に当たったりすることを防止することができる。但し、この場合は、筐体１５の安定度が若干劣る。しかし、例えば、ユニット３の軽量化、転倒防止部材４の重量化、軽いユニットを上部に配置し重いユニットを下部に配置する等の対策により筐体１５の重心を下方に設定したり、又はユニット３の重さを考慮して筐体１５が転倒しない引き出し速度（歯車の大きさ）を設定したりすれば、安定度を高めることができる。
【００２６】
更に、本実施形態の引き出し付き収納庫１においては、回転部材１３は筐体１５の内部及び下方に配置されているため、ユニット３を引き出した状態においても作業スペースを確保することができる。
【００２７】
本実施形態においては、回転部材１３が１個の場合について述べたが、本発明はこれに限定されるものではなく、回転部材１３を複数個設けてもよい。また、本実施形態においては、回転部材１３を大径歯車６、小径歯車９及び回転軸１０により構成した場合について述べたが、本発明はこれに限定されるものではなく、その周縁に、ユニット３に形成された平歯車２及び転倒防止部材４に形成された平歯車５と噛合する形状の歯車が形成されていればよく、例えば、回転軸１０が形成されず歯車のみで構成されていてもよい。更に、本実施形態の引き出し付き収納庫１における転倒防止部材４の底面には、必要に応じて固定用部材又はキャスター等を設けることができる。
【００２８】
【発明の効果】
以上詳述したように、本発明によれば、ユニット及び転倒防止部材の側面に設けられた平歯車と回転部材に設けられた歯車とが噛合することより、ユニットと転倒防止部材とを連動させることができる。これにより、ユニットが引き出された場合には、操作者が特別な作業をすることなく転倒防止部材が引き出されて、筐体の下方で筐体を支えるため、筐体が転倒することを防止することができる。また、ユニットが筐体に収納されている場合には、転倒防止部材は筐体の下方に収納されているため、操作者がつまずくことを防止することができる。その結果、優れた作業性及び安全性が得られる。
【図面の簡単な説明】
【図１】本発明の実施形態に係る引き出し付き収納庫を示す斜視図である。
【符号の説明】
１；引き出し付き収納庫
２、５；平歯車
３；ユニット
４；転倒防止部材
６；大径歯車
７；スライド方向
８；引き出し方向
９；小径歯車
１０；回転軸
１１；取っ手
１２；扉
１３；回転部材
１４；収納枠
１５；筐体
【図１】
2004273729.tif 000003